(57)【要約】【課題】使用者の両手を占有することなく、非着用とすることができる軽装ジャケット、重装ジャケット、スポーツジャケットまたは同様の衣料品を提供すること。【解決手段】本衣料品は、着用されていないときに同衣料品を使用者の上体から吊すことができるように適合された２つの肩ストラップを有する、使用者の上体への装着手段を背部の内側に備えている。【選択図】図１
2008127737.tif 000002
【特許請求の範囲】
【請求項１】
軽装ジャケット、重装ジャケット、スポーツジャケットまたは同様の衣料品(10)が着用されていないときに同衣料品を使用者の上体から吊すことができるように適合された２つの肩ストラップ(15)を有する、使用者の上体への装着手段(12)を、背部の内側(11)に備えていることを特徴とする軽装ジャケット、重装ジャケット、スポーツジャケットまたは同様の衣料品。
【請求項２】
上記装着手段(12)を上記背部の内側(11)に裏返し可能に固定する手段(17)を備えていることを特徴とする請求項１記載の軽装ジャケット、重装ジャケット、スポーツジャケットまたは同様の衣料品。
【請求項３】
上記装着手段(12)が、背部プロテクタ(14)用の後部支持部(13)を有することを特徴とする請求項１乃至２いずれかに記載の軽装ジャケット、重装ジャケット、スポーツジャケットまたは同様の衣料品。
【請求項４】
上記衣料品の背部領域（21）に付設されたヘルメット収容バッグ(20)を備えていることを特徴とする請求項１乃至３いずれかに記載の軽装ジャケット、重装ジャケット、スポーツジャケットまたは同様の衣料品。
【請求項５】
上記バッグ(20)の内部容量が、上記後部(13)と、上記衣料品の上記背部領域(21)に一体化された蛇腹状部(22)とによって限界を定められていることを特徴とする上記請求項３及び４に記載の軽装ジャケット、重装ジャケット、スポーツジャケットまたは同様の衣料品。
【請求項６】
上記蛇腹状部を最小空間占有の形状に保つ手段(23)を備えたことを特徴とする請求項５記載の軽装ジャケット、重装ジャケット、スポーツジャケットまたは同様の衣料品。
【請求項７】
上記蛇腹状部を最小空間占有の形状に保つ手段(23)が、上記蛇腹状部(22)の側面部(25)における互いに反対の縦の端部(24)を連結するジップファスナを備えていることを特徴とする請求項６記載の軽装ジャケット、重装ジャケット、スポーツジャケットまたは同様の衣料品。
【請求項８】
上記バッグ(20)が、その上部領域に容易に開閉するための手段(28)を付設された開口(27)を備えていることを特徴とする請求項５乃至７いずれかに記載の軽装ジャケット、重装ジャケット、スポーツジャケットまたは同様の衣料品。
【請求項９】
上記開口(27)を容易に開閉する手段(28)は、ジップファスナを備えていることを特徴とする請求項８記載の軽装ジャケット、重装ジャケット、スポーツジャケットまたは同様の衣料品。
【請求項１０】
上記一対の肩ストラップは、上記背部プロテクタ(14)を支持する上記後部(13)から前面に延びていることを特徴とする請求項３乃至９いずれかに記載の軽装ジャケット、重装ジャケット、スポーツジャケットまたは同様の衣料品。
【請求項１１】
上記装着手段(12)は、上記背部プロテクタ(14)を支持する上記後部(13)から延びるベルト状部(16)を備えていることを特徴とする請求項１０記載の軽装ジャケット、重装ジャケット、スポーツジャケットまたは同様の衣料品。
【請求項１２】
上記背部の内側を上記装着手段１２に対して裏返し可能に固定する上記手段(17)は、上記背部プロテクタ(14)を取り囲むように上記後部(13)に一体化された第１の歯付きフラップ(18)と、上記衣料品の上記背部の内側(11)に、上記第１の歯付きフラップ(18)と同様の形状でもって、一体化された第２の歯付きフラップ(19)とを有するジップファスナを備えていることを特徴とする請求項３乃至１１いずれかに記載の軽装ジャケット、重装ジャケット、スポーツジャケットまたは同様の衣料品。
【発明の詳細な説明】
【技術分野】
【０００１】
本発明は、軽装ジャケット、重装ジャケット、スポーツジャケットまたは同様の衣料品に関する。
本発明は、モーターサイクリスト用の重装ジャケット及びスポーツジャケットの分野において、好ましくは、しかし限られることなく、温暖な気候の期間に、好都合に用いられることができる。
【０００２】
本発明は、伝統的なタイプの軽装ジャケット及び重装ジャケット、コート、レインコート、ロングタイプ及びショートタイプの両方、などに好都合に用いられる。
【背景技術】
【０００３】
周知のように、モーターサイクリスト用の衣料に関連する典型的な問題の一つは、気候が温暖な時の軽装及び重装ジャケットの使用に関連する。
モーターサイクリストには、好ましい天候であっても走行中の風から保護するために、軽装あるいは重装またはスポーツジャケットのような衣料品を常に着用することが実際に賢明である。
【０００４】
しかしながら、特に日中の最も暖かい時間帯においては、上体のオーバーヒートを避けるためにしばしばジャケットを脱ぐ必要がある。モーターサイクリストはそれ故に、一方の手にヘルメットを持ち、他方の手にジャケットを持っており、両手が忙しい自分自身に気づくであろう。
この状況は特に煩わしいことが明らかである。一方の手を使うことが必要である毎に、荷物を一方の手から他方の手に移したり、またはジャケットあるいはヘルメットを、その行動が終わったときにその品物を忘れるリスクをもちながら置く場所を見つけたりする必要がある。
【０００５】
同じ問題は、モーターサイクリストによる使用のみならず通常の衣料品においても生じるものである。暖かい日において、上体のオーバーヒートを避けるためにジャケットを脱ぎたいと思うときに、ジャケットは実際一方の手で持たなければならない。これは、特に例えばバッグのような品物が他方の手にある場合に煩わしくなり得る。
【発明の開示】
【発明が解決しようとする課題】
【０００６】
本発明の目的は、着用されていないときに、一方の手を占有することを避けることができる軽装ジャケット、重装ジャケット、スポーツジャケットまたは同様の衣料品を提供することによって、これら衣料品に関連する上述の欠点を解決することにある。
この目的の範囲において、本発明の対象は、モーターサイクルでの使用に快適かつ安全な軽装ジャケット、重装ジャケットまたはスポーツジャケットのような衣料品を提供することにある。
【課題を解決するための手段】
【０００７】
上記目的を達成するために創案されたもので、請求項１に記載の軽装ジャケット、重装ジャケットまたはスポーツジャケットのような衣料品は、着用されていないときに同衣料品を使用者の上体から吊すことができるように適合された２つの肩ストラップを有する、使用者の上体への装着手段(12)を、背部の内側(11)に備えていることを特徴としている。
請求項２に記載の衣料品は、上記装着手段(12)を上記背部の内側(11)に裏返し可能に固定する手段を備えていることを特徴としている。
【０００８】
請求項３に記載の衣料品は、請求項１または２において、上記装着手段(12)が、背部プロテクタ(14)用の後部支持部(13)を有することを特徴としている。
請求項４に記載の衣料品は、請求項１乃至３いずれかにおいて、上記衣料品の背部領域（21）に付設されたヘルメット収容バッグ(20)を備えていることを特徴としている。
請求項５に記載の衣料品は、請求項３及び４において、上記バッグ(20)の内部容量が、上記後部(13)と、上記衣料品の上記背部領域(21)に一体化された蛇腹状部(22)とによって限界を定められていることを特徴としている。
【０００９】
請求項６に記載の衣料品は、請求項５において、上記蛇腹状部(22)を最小空間占有の形状に保つ手段(23)を備えていることを特徴としている。
請求項７に記載の衣料品は、請求項６において、上記蛇腹状部(22)を最小空間占有の形状に保つ手段(23)が、上記蛇腹状部の側面部(25)における互いに反対の縦の端部(24)を連結するジップファスナを備えていることを特徴としている。
【００１０】
請求項８に記載の衣料品は、請求項５乃至７記載のいずれかにおいて、上記バッグ(20)が、その上部領域に容易に開閉するための手段(28)を付設された開口(27)を備えていることを特徴としている。
請求項９に記載の衣料品は、請求項８において、上記開口(27)を容易に開閉する手段(28)は、ジップファスナを備えていることを特徴としている。
【００１１】
請求項１０に記載の衣料品は、請求項３乃至９いずれかにおいて、上記一対の肩ストラップは、上記背部プロテクタ(14)を支持する上記後部(13)から前面に延びていることを特徴としている。
請求項１１に記載の衣料品は、請求項１０において、上記装着手段(12)は、上記背部プロテクタ(14)を支持する上記後部(13)から延びるベルト状部(16)を備えていることを特徴としている。
【００１２】
請求項１２に記載の衣料品は、請求項３乃至１１のいずれかにおいて、上記背部の内側を上記装着手段(12)に対して裏返し可能に固定する上記手段(17)は、上記背部プロテクタ(14)を取り囲むように上記後部(13)に一体化された第１の歯付きフラップ(18)と、上記衣料品の上記背部の内側(11)に、上記第１の歯付きフラップ(18)と同様の形状でもって、一体化された第２の歯付きフラップ(19)とを有するジップファスナを備えていることを特徴としている。
【発明の効果】
【００１３】
請求項１の衣料品によれば、衣料品(10)を着用しないときに、当該衣料品を使用者の背中から吊すことができるので、使用者の少なくとも一方の手が占有されることがなく、これにより両方の手がフリーとなり、上述した問題を解消することができる。
請求項２の衣料品によれば、使用者が本衣料品を着用するときに、上記装着手段(12)を上記背部の内側(11)に対して、同装着手段(12)が上記背部の内側(11)に裏返しとなるように固定することが可能である。上記装着手段(12)をしばらく使用する必要がないときには、上記背部の内側(11)から取り外しておくことも可能である。また必要に応じて、取り外した装着手段(12)を他の衣料品と共にしようすることも可能である。
【００１４】
請求項３の衣料品によれば、上記装着手段(12)が上記背部用プロテクタ(14)を支持しているので、本衣料品がモーターサイクリストに用いられた場合、安全性の面で大きな利点がある。また、裏返し可能な固定手段と共同することによって、使用者は、本衣料品とは別個に、上記背部用プロテクタ(14)と上記装着手段(12)とのみを使用することができる。
請求項４の衣料品によれば、上記背部領域(21)にヘルメット収容バッグ(20)を備えているので、モーターサイクリスト使用者は、温暖な期間に、本衣料品を背中から吊り下げ、そしてヘルメットが同衣料品に収まるので、同使用者は両手をフリーにすることができる。
【００１５】
請求項５の衣料品によれば、上記バッグ(20)の内部容量が、上記後部と、上記背部領域に一体化された蛇腹状部(22)とによって定められているので、種々サイズまたは形状のヘルメットを収容することができる。
請求項６の衣料品によれば、上記蛇腹状部(22)を最小空間占有の形状に保つことができるので、上記ヘルメット収容バッグ(20)を使用していないときに、同バッグが使用者の邪魔になることを防止することができる。
【００１６】
請求項７の衣料品によれば、上記ジップファスナにより上記蛇腹状部(22)を最小空間占有の状態に保つので、上記バッグ(20)が背部領域(21)上に平らにされ、実用上有利である。
請求項８の衣料品によれば、上記バッグ(20)の上部領域に容易に開閉するための手段を伴う開口(27)が設けられているので、同開口から同バッグ内へ容易にヘルメットまたはその他の荷物を入れることができる。
【００１７】
請求項９の衣料品によれば、上記ジップファスナにより上記開閉を容易に行うことができる。
請求項１０の衣料品によれば、上記背部プロテクタ(14)が上記後部(13)に対して強固に付設されるので、使用者の安全性を増すことができる。
請求項１１の衣料品によれば、上記ベルト状部(16)により、上記背部プロテクタを使用者の背中に対して、より確実に装着することができる。
【００１８】
請求項１２の衣料品によれば、第１の歯付きフラップ(18)と第２の歯付きフラップ(19)からなるジップファスナにより、上記装着手段(12)を上記背部プロテクタ(14)に、容易にかつ強固に裏返し可能に固定することができる。
【発明を実施するための最良の形態】
【００１９】
以下、本発明の実施の形態を図面に基づき説明する。
図において、符号１０は衣料品を総括的に示す。この実施例において、衣料品１０はモーターサイクリストジャケットである。
衣料品１０はスポーツジャケットのように形成され、背部の内側１１に、使用者の上体への装着手段１２を備えている。特に装着手段１２は、背部プロテクタ１４及び後部１３から前方へ延びる２つの肩ストラップ１５を支持する後部１３を備えている。さらに、装着手段１２は、また後部１３から延びて背部プロテクタ１４を支持するベルト部１６も備えている。一対の肩ストラップ１５は、図３に明らかに示されるように、ジャケットが着用されていないときに、ジャケットが使用者の上体から吊り下げられるようにすることができる。
【００２０】
この実施例において、本発明は、本衣料品の背部１１の内側に装着手段１２を裏返し可能に固定するための固定手段１７を備えている。裏返し可能な固定手段１７は、例えばジップファスナにより構成され、背部プロテクタ１４を囲むように第１の歯付きフラップ１８が後部１３に一体化され、そして第２の歯付きフラップ１９が第１の歯付きフラップ１８と同様に背部の内側１１に一体化されている。
【００２１】
有用な点として、この実施例において、本衣料品は、第４図に明らかに示されるように、本衣料品の背部領域２１（背部の外側）に付設されたヘルメットバッグ２０を備えている。
例えば、バッグ２０の内部容量は、背部プロテクタ１４を支持する後部１３によって、及び本衣料品の背部領域２１に一体化された蛇腹状部２２によって限界を定められる。
【００２２】
さらに好都合な点として、蛇腹状部２２を最小容量に保つための保持手段２３が設けられ、そして蛇腹状バッグにより知られているタイプの方法に従って、蛇腹状部２２の側面部２５のほぼ縦方向のお互い反対の縦の端部２４を結合するジップファスナにより構成されている。図５は、バッグ２０が本衣料品の背部領域２１上に平らにされ、かつプレス式留めボタン２６によりそこに固定されている、最小空間占有の形態を示す。
【００２３】
バッグ２０を容易に使用できるように、同バッグは上部領域に、容易に開閉するための例えばジップファスナのような手段２８を付設した開口２７を有している。
上述した実施の形態の衣料品１０による作用効果について説明する。衣料品１０を着用しないときに、当該衣料品を使用者の背中から吊すことができるので、使用者の少なくとも一方の手が占有されることがなく、これにより両方の手がフリーとすることができる。また、装着手段１２が、使用者が本衣料品１０を着用するときに、装着手段１２を背部の内側１１に対して、同装着手段１２が背部の内側１１に裏返しとなるように固定することにより、衣料品１０の背部の内側１１に装着手段１２が露出することがない。さらに、装着手段１２をしばらく使用する必要がないときには、背部の内側１１から取り外しておくことも可能である。
【００２４】
装着手段１２が背部用プロテクタ１４を支持しているので、本衣料品１０がモーターサイクリストに用いられた場合、安全性の面で大きな利点がある。特に背部プロテクタ１４を支持する後部１３から一対の肩ストラップ１５が延びているので、同プロテクタ１４を装着部材１２に強固に付設することができ、またベルト状部１６が設けられたことにより、モーターサイクリストの安全性を増すことができる。
【００２５】
また、裏返し可能な固定手段と共同することによって、使用者は、衣料品１０とは別個に、背部用プロテクタ１４と装着手段１２とのみを使用することができる。
背部領域２１にヘルメット収容バッグ２０を備えているので、モーターサイクリスト使用者は、温暖な期間に、本衣料品１０を背中から吊り下げ、そしてヘルメットが同衣料品１０に収まるので、同使用者は両手をフリーにすることができる。しかも、バッグ２０の内部容量が、後部１３と、背部領域２１に一体化された蛇腹状部２２とによって定められているので、種々サイズまたは形状のヘルメットを収容することができる。また、ジップファスナから成る保持手段２３により、蛇腹状部２２を最小空間占有の形状に保つことができるので、バッグ２０を使用していないときに、同バッグが使用者の邪魔になることを防止することができ、その際、バッグ２０が背部領域２１の面上に平らにされ、実用上有利である。なお、バッグ２０には、勿論ヘルメット以外のアイテムを収容できる。
【００２６】
さらに、バッグ２０の上部領域には、ジップファスナから成る手段２８により開閉される開口２７が設けられているので、同開口２７からバッグ２０内へ容易にヘルメットまたはその他の荷物を入れることができる。
また、第１の歯付きフラップ１８と第２の歯付きフラップ１９からなるジップファスナにより、装着手段１２を背部１１に固定されているので、装着手段１２を背部１１に容易にかつ強固に裏返し可能に固定することができる。
【００２７】
なお、本発明は、モーターサイクリスト用または伝統的な軽装ジャケット、重装ジャケット、スポーツジャケット、及びロングタイプ及びショートタイプの両方のコート、レインコート等にも適用されることができる。
また本衣料品の材料のタイプは、防水繊維、呼吸可能な繊維、風を通さない繊維など、多くの異なるものが可能である。
【００２８】
かくして着想された本発明は、添付したクレームの範囲内で多くの修正及び変形が可能であり、すべての詳細は他の技術的に均等な要素と置換されることが可能である。
実際に、使用される材料は、それらが特別な使用や寸法に適合している限り、技術の要求や状態に従ってあらゆるものが可能である。
【図面の簡単な説明】
【００２９】
【図１】本発明に従う、モーターサイクリングジャケットのような衣料品の前方斜視図であり、上記ジャケットの背部の内側から部分的に離れている装着手段を示している。
【図２】図１の衣料品の後方斜視図であり、ジャケットの残りの部分から分離された背部プロテクタを備えた装着手段を示している。
【図３】図１のジャケットの斜視図であり、上記装着手段から吊り下げた状態を示している。
【図４】同ジャケットの後方斜視図であり、開放された後方バッグを示している。
【図５】同ジャケットの後方斜視図であり、外形がバッグ最小空間占有となる、閉じられた図４のバッグを示している。
【符号の説明】
【００３０】
１０  ジャケット
１２  装着手段
１３  後部
１４  背部プロテクタ
１５  肩ストラップ
１７  裏返し可能に固定する手段
２０  バッグ
【図１】
2008127737.tif 000003
【図２】
2008127737.tif 000004
【図３】
2008127737.tif 000005
【図４】
2008127737.tif 000006
【図５】
2008127737.tif 000007